(57)【要約】      （修正有）【課題】ウエスト開口からの排泄物の漏れに対する不安感を低減し、装着者に安心感を与え易い使い捨ておむつを提供する。【解決手段】使い捨ておむつは互いに直交する前後方向Ｌ及び幅方向Ｗと前胴回り域、後胴回り域、股下域と、吸収コア３１と、後胴回り域に配置されているウエストバンド８０とを有し、股下域側に向かって開口する収容空間が形成され、収容空間の少なくとも肌対向面側にはウエストバンドが配置され、使い捨ておむつは吸収コアを含みかつウエストバンドよりも非肌対向面側に配置されている部材により構成される本体部を有し、本体部は後胴回り域において後側に位置する後端縁１１Ｒを有し、ウエストバンドが本体部に挟まれるように股下域において幅方向に延びる第１折り目ＦＬ１を基点に使い捨ておむつが折り畳まれている二つ折りの自然状態においてウエストバンドの一部は後端縁１１Ｒの前後方向の外側で露出している。【選択図】図６
2020089674.tif 000002
【特許請求の範囲】
【請求項１】
互いに直交する前後方向及び幅方向と、
第１胴回り域、第２胴回り域及び前記第１胴回り域と前記第２胴回り域との間に配置された股下域と、
吸収コアと、
前記第１胴回り域に配置されているウエストバンドと、を有し、
股下域側に向かって開口する空間が形成され、
前記空間の少なくとも肌対向面側には前記ウエストバンドが配置されている使い捨ておむつであって、
前記吸収コアを含み、かつ前記ウエストバンドよりも非肌対向面側に配置されている部材により構成される本体部を有し、
前記本体部は、前記第１胴回り域において前記前後方向の外側に位置する外端縁である第１外端縁を有し、
前記ウエストバンドが前記本体部に挟まれるように前記股下域において前記幅方向に延びる折り目を基点に前記使い捨ておむつが折り畳まれている二つ折りの自然状態において、前記ウエストバンドの一部は、前記第１外端縁の前記前後方向の外側で露出している、使い捨ておむつ。
【請求項２】
前記本体部は、前記第２胴回り域において前記前後方向の外側に位置する外端縁である第２外端縁を有し、
前記二つ折りの自然状態において、前記ウエストバンドの一部は、前記第２外端縁の前記前後方向の外側で露出している請求項１に記載の使い捨ておむつ。
【請求項３】
前記ウエストバンドは、着用者の肌に当接する肌当接面を有する肌当接部を有し、
前記本体部に接合されていない前記肌当接部は、前記肌当接部の前記前後方向の中心よりも外側の部分である外肌当接部と、前記肌当接部の前記前後方向の中心よりも内側の部分である内肌当接部と、を有し、
前記内肌当接部の前記幅方向の収縮力は、前記外肌当接部の前記幅方向の収縮力よりも大きい請求項１又は２に記載の使い捨ておむつ。
【請求項４】
前記本体部は、少なくとも前記第１胴回り域に配置されているウエスト収縮領域を有し、
前記ウエスト収縮領域は、前記本体部の前記幅方向の中央を跨がるように前記幅方向に延びており、かつ前記幅方向に収縮する請求項１から３のいずれか１項に記載の使い捨ておむつ。
【請求項５】
前記ウエスト収縮領域の前記前後方向の内端縁は、前記厚さ方向において前記吸収コアと重なっている請求項４に記載の使い捨ておむつ。
【請求項６】
前記ウエストバンドは、前記ウエストバンドの前記幅方向の両端部に位置し、かつ前記本体部に接合されている一対のサイド接合部を有し、
前記一対のサイド接合部のそれぞれは、前記吸収コアの外側縁よりも前記幅方向の外側に位置する請求項４又は５に記載の使い捨ておむつ。
【請求項７】
前記本体部は、前記吸収コアよりも肌対向面側に位置する肌面側シートを有し、
前記肌面側シートは、表面シートと、前記表面シートの両外側部を覆う一対のサイドシートと、を有し、
前記一対のサイドシートのそれぞれは、前記前後方向に延びる防漏弾性部材の収縮によって起立する収縮部を有する防漏ギャザーを構成し、
前記ウエストバンドは、前記ウエストバンドの前記幅方向の両端部に位置し、かつ前記本体部と接合されている一対のサイド接合部を有し、
前記一対のサイド接合部のそれぞれは、前記防漏弾性部材よりも前記幅方向の外側に位置する請求項１から６のいずれか１項に記載の使い捨ておむつ。
【請求項８】
前記防漏ギャザーは、前記収縮部よりも前記幅方向の外側において前記収縮部の起立支点となる基端縁を有し、
前記一対のサイド接合部のそれぞれは、前記基端縁よりも前記幅方向の外側に位置する請求項７に記載の使い捨ておむつ。
【請求項９】
前記ウエストバンドは、前記本体部に接合された接合部と、前記本体部に接合されていない非接合部と、を有し、
前記非接合部は、前記幅方向に延びるバンド折り目を基点として前記前後方向の外側に折り返されており、
前記非接合部は、
前記接合部から前記バンド折り目まで延びており、かつ起立可能に構成された起立部と、
前記バンド折り目から前記前後方向の外側に向かって延びており、前記起立部よりも肌対向面側に位置する折り返し部と、を有し、
前記起立部の前記前後方向の一方の端縁から他方の端縁までの長さと、前記折り返し部の前記前後方向の一方の端縁から他方の端縁までの長さとの合計の長さは、前記接合部と前記起立部との境界から前記第１外端縁までの長さよりも長い請求項１から８のいずれか１項に記載の使い捨ておむつ。
【請求項１０】
前記起立部の前記前後方向の一方の端縁から他方の端縁までの長さは、前記接合部と前記起立部との境界から前記第１外端縁までの長さよりも長い請求項９に記載の使い捨ておむつ。
【発明の詳細な説明】
【技術分野】
【０００１】
本発明は、使い捨ておむつに関する。
【背景技術】
【０００２】
従来、胴回り域に配置されているウエストバンドを有する使い捨ておむつが知られている（例えば、特許文献１参照）。ウエストバンドによって股下域側に向かって開口する空間が形成されている。空間の少なくとも非肌対向面側には、ウエストバンドが配置されており、当該空間は、ウエスト開口側に移動する排泄物を収容するポケットとして機能する。これにより、ウエスト開口から排泄物が漏れることを抑制できる。
【先行技術文献】
【特許文献】
【０００３】
【特許文献１】米国特許公開公報２０１８／７１１５５号
【発明の概要】
【発明が解決しようとする課題】
【０００４】
ウエストバンドを有さない一般的な使い捨ておむつの方が、ウエストバンドを有する使い捨ておむつに比べて、広く知られている。このため、装着者は、一般的な使い捨ておむつと同じように、ウエストバンドを認識することなく着用者に使い捨ておむつを装着させることがあった。このため、装着者は、着用者に装着させた使い捨ておむつがウエストバンドを有するにもかかわらず、一般的な使い捨ておむつと同じように、ウエスト開口からの漏れに対する不安感を抱えたまま、使い捨ておむつを使用する虞がある。
【０００５】
また、使い捨ておむつを着用者に装着する際に、装着者が、ウエストバンドを認識していないため、ウエストバンドが不適切に折れ曲がった状態で使い捨ておむつが装着される虞がある。この場合、ポケットとして機能する空間が十分に形成できず、ウエスト開口から排泄物が漏れ出す可能性があった。
【０００６】
そこで、ウエストバンドを備える使い捨ておむつであって、ウエスト開口からの排泄物の漏れに対する不安感を低減し、装着者に安心感を与え易い使い捨ておむつが望まれる。
【課題を解決するための手段】
【０００７】
一態様に係る使い捨ておむつは、互いに直交する前後方向及び幅方向と、第１胴回り域、第２胴回り域及び前記第１胴回り域と前記第２胴回り域との間に配置された股下域と、吸収コアと、前記第１胴回り域に配置されているウエストバンドと、を有する。股下域側に向かって開口する空間が形成される。前記空間の少なくとも肌対向面側には前記ウエストバンドが配置されている。前記使い捨ておむつは、前記吸収コアを含み、かつ前記ウエストバンドよりも非肌対向面側に配置されている部材により構成される本体部を有する。前記本体部は、前記第１胴回り域において前記前後方向の外側に位置する外端縁である第１外端縁を有する。前記ウエストバンドが前記本体部に挟まれるように前記股下域において前記幅方向に延びる折り目を基点に前記使い捨ておむつが折り畳まれている二つ折りの自然状態において、前記ウエストバンドの一部は、前記第１外端縁の前記前後方向の外側で露出している。
【図面の簡単な説明】
【０００８】
【図１】図１は、実施形態に係る使い捨ておむつを肌対向面側から見た模式平面図である。
【図２】図２は、図１に示すＡ−Ａ線に沿った模式断面図である。
【図３】図３は、伸長状態における図１に示すＢ−Ｂ線に沿った模式断面図である。
【図４】図４は、自然状態における図１に示すＢ−Ｂ線に沿った模式断面図である。
【図５】図５は、図４を基準とした断面における着用状態を模式的に示した図である。
【図６】図６は、二つ折りの自然状態における実施形態に係る使い捨ておむつ１０の模式平面図である。
【図７】図７は、図６のＣ−Ｃ線に沿った模式断面図である。
【図８】図８は、実施形態に係るウエストバンド８０を説明するための模式図である。
【図９】図９は、腰回り弾性部材４５を説明するための模式図である。
【図１０】図１０は、変更例に係る使い捨ておむつを肌対向面側から見た模式平面図である。
【図１１】図１１は、二つ折りの自然状態における変更例に係る使い捨ておむつの模式平面図である。
【０００９】
（１）実施形態の概要
本明細書及び添付図面の記載により、少なくとも以下の事項が明らかとなる。
【００１０】
一態様に係る使い捨ておむつは、互いに直交する前後方向及び幅方向と、第１胴回り域、第２胴回り域及び前記第１胴回り域と前記第２胴回り域との間に配置された股下域と、吸収コアと、前記第１胴回り域に配置されているウエストバンドと、を有する。股下域側に向かって開口する空間が形成される。前記空間の少なくとも肌対向面側には前記ウエストバンドが配置されている。前記使い捨ておむつは、前記吸収コアを含み、かつ前記ウエストバンドよりも非肌対向面側に配置されている部材により構成される本体部を有する。前記本体部は、前記第１胴回り域において前記前後方向の外側に位置する外端縁である第１外端縁を有する。前記ウエストバンドが前記本体部に挟まれるように前記股下域において前記幅方向に延びる折り目を基点に前記使い捨ておむつが折り畳まれている二つ折りの自然状態において、前記ウエストバンドの一部は、前記第１外端縁の前記前後方向の外側で露出している。
【００１１】
使い捨ておむつは、使用前にかさばらないように、使用前の状態として、二つ折りの自然状態であることが一般的である。本態様によれば、このような二つ折りの自然状態において、ウエストバンドの一部が、第１外端縁の前後方向の外側で露出している。装着者は、使い捨ておむつの使用前から、第１胴回り域側からの使い捨ておむつの平面視において、本体部から露出しているウエストバンドの一部を視認することができ、ウエストバンドを認識し易くなる。装着者が、ウエストバンドを認識することで、ウエスト開口からの排泄物の漏れに対する不安感を低減でき、装着者に安心感を与えることができる。また、装着者がウエストバンドを認識している場合には、使い捨ておむつを着用者に装着する際に、ウエストバンドが不適切に折れ曲がった状態であることに気付き易くなる。装着者は、ウエストバンドが不適切に折れ曲がった状態である場合には、ウエストバンドが適切な状態となるように直すことで、ウエスト開口から排泄物が漏れ出することを抑制できるため、装着者に安心感を与えることができる。
【００１２】
好ましい一態様によれば、前記本体部は、前記第２胴回り域において前記前後方向の外側に位置する外端縁である第２外端縁を有してよい。前記二つ折りの自然状態において、前記ウエストバンドの一部は、前記第２外端縁の前記前後方向の外側で露出してよい。二つ折りの自然状態において、ウエストバンドの一部は、第１外端縁だけでなく、第２外端縁よりも前後方向の外側で露出するため、ウエストバンドの一部は、第１外端縁が配置されている側からだけでなく、第２外端縁が配置されている側からも視認可能である。従って、装着者は、使い捨ておむつの使用前から、本体部から露出しているウエストバンドの一部をより視認し易くなり、ウエストバンドをより認識し易くなる。
【００１３】
好ましい一態様によれば、前記ウエストバンドは、着用者の肌に当接する肌当接面を有する肌当接部を有してよい。前記本体部に接合されていない前記肌当接部は、前記肌当接部の前記前後方向の中心よりも外側の部分である外肌当接部と、前記肌当接部の前記前後方向の中心よりも内側の部分である内肌当接部と、を有してよい。前記内肌当接部の前記幅方向の収縮力は、前記外肌当接部の前記幅方向の収縮力よりも大きくてよい。内肌当接部の幅方向の収縮力は、外肌当接部の幅方向の収縮力よりも大きいため、内肌当接部は、外肌当接部よりも幅方向に収縮する。これにより、内肌当接部の幅方向の長さが外肌当接部の幅方向の長さよりも短くなる。外肌当接部と内肌当接部とは同じ肌当接部であるため、外肌当接部のうち内肌当接部に近い部分は、内肌当接部の収縮によりさらに収縮する。一方で、外肌当接部のうち内肌当接部から遠い部分は、内肌当接部の収縮の影響を受け難く、内肌当接部の収縮により収縮し難い。従って、肌当接部の幅方向の中央が前後方向の外側に向かって突出するように肌当接部が円弧状に変形し易い。これにより、肌当接部の幅方向の中央が、肌当接部の幅方向の端部よりも前後方向の外側に突出し易くなる。肌当接部の幅方向の端部が本体部から露出していない場合であったとしても、肌当接部の幅方向の中央が本体部から露出し、装着者が、ウエストバンドを認識し易くなる。
【００１４】
好ましい一態様によれば、前記本体部は、少なくとも前記第１胴回り域に配置されているウエスト収縮領域を有してよい。前記ウエスト収縮領域は、前記本体部の前記幅方向の中央を跨がるように前記幅方向に延びており、かつ前記幅方向に収縮してよい。ウエスト収縮領域の収縮によって、ウエスト収縮領域を有する本体部も収縮する。ここで、ウエスト収縮領域の前後方向の内側部分は、ウエスト収縮領域の前後方向の外側部分に比べると、吸収コア側に配置されている。従って、吸収コア上及び吸収コアの前後方向の延長上の領域では、吸収コアの剛性によって、ウエスト収縮領域の内側部分は、ウエスト収縮領域の外側部分と比べると幅方向に収縮し難くなる。これにより、ウエスト収縮領域の外側部分と厚さ方向に重なる本体部の幅方向の長さが、ウエスト収縮領域の内側部分と厚さ方向に重なる本体部の長さよりも短くなり易く、本体部の第１外端縁の幅方向の中央が内側に向かって凹むように、吸収コアの延長上の領域において本体部が円弧状に変形する。従って、ウエストバンドの幅方向の端部が本体部から露出していない場合であったとしても、ウエストバンドの幅方向の中央が本体部から露出し、装着者が、ウエストバンドを認識し易くなる。
【００１５】
好ましい一態様によれば、前記ウエスト収縮領域の前記前後方向の内端縁は、前記厚さ方向において前記吸収コアと重なってよい。ウエスト収縮領域の前後方向の内側部分のうち吸収コアと重なっている重複部分は、ウエスト収縮領域の前後方向の外側部分と比べて、吸収コアの剛性によって幅方向に収縮し難くなる。従って、ウエスト収縮領域の重複部分と厚さ方向に重なる本体部の幅方向の長さが、ウエスト収縮領域の外側部分と厚さ方向に重なる本体部の幅方向の長さよりも長くなる。従って、本体部の第１外端縁の幅方向の中央が内側に向かって凹むように、吸収コアの延長上の領域において本体部が円弧状により変形し易くなる。このため、ウエストバンドの幅方向の端部が本体部から露出していない場合であったとしても、ウエストバンドの幅方向の中央が本体部からより露出し、装着者が、ウエストバンドを認識し易くなる。
【００１６】
好ましい一態様によれば、前記ウエストバンドは、前記ウエストバンドの前記幅方向の両端部に位置し、かつ前記本体部に接合されている一対のサイド接合部を有してよい。前記一対のサイド接合部のそれぞれは、前記吸収コアの外側縁よりも前記幅方向の外側に位置する。一対のサイド接合部のそれぞれが、吸収コアの外側縁よりも幅方向の外側に位置する場合には、一対のサイド接合部のそれぞれの少なくとも一部は、吸収コア上及び吸収コアの前後方向の延長上の領域から離れて位置している。従って、本体部の第１外端縁の幅方向の中央が内側に向かって凹むように、吸収コアの延長上の領域において本体部が円弧状に変形しても、延長上の領域から離れて位置するサイド接合部の少なくとも一部が当該本体部の変形による影響を受けなくなる。これにより、ウエストバンドの幅方向の中央が内側に向かって凹むことを抑制でき、ウエストバンドが本体部から露出する量が低減することを抑制できる。ウエストバンドの露出量の低減を抑制することで、装着者は、使い捨ておむつの使用前から、ウエストバンドの一部を視認し易くなり、ウエストバンドを認識し易くなる。
【００１７】
好ましい一態様によれば、前記本体部は、前記吸収コアよりも肌対向面側に位置する肌面側シートを有してよい。前記肌面側シートは、表面シートと、前記表面シートの両外側部を覆う一対のサイドシートと、を有してよい。前記一対のサイドシートのそれぞれは、前記前後方向に延びる防漏弾性部材の収縮によって起立する収縮部を有する防漏ギャザーを構成してよい。前記ウエストバンドは、前記ウエストバンドの前記幅方向の両端部に位置し、かつ前記本体部と接合されている一対のサイド接合部を有してよい。前記一対のサイド接合部のそれぞれは、前記防漏弾性部材よりも前記幅方向の外側に位置してよい。一対のサイド接合部のそれぞれが、防漏弾性部材よりも幅方向の外側に位置するため、一対のサイド接合部は、防漏弾性部材の収縮による影響を直接的に受け難くなる。これにより、ウエストバンドが前後方向の内側へ引っ張られ難くなり、ウエストバンドが本体部から露出する量が低減することを抑制できる。ウエストバンドの露出量の低減を抑制することで、装着者は、使い捨ておむつの使用前から、ウエストバンドの一部を視認し易くなり、ウエストバンドを認識し易くなる。
【００１８】
好ましい一態様によれば、前記防漏ギャザーは、前記収縮部よりも前記幅方向の外側において前記収縮部の起立支点となる基端縁を有する。前記一対のサイド接合部のそれぞれは、前記基端縁よりも前記幅方向の外側に位置してよい。一対のサイド接合部のそれぞれが、基端縁よりも幅方向の外側に位置するため、一対のサイド接合部は、収縮部の収縮による影響を受け難くなる。これにより、ウエストバンドが前後方向の内側へ引っ張られ難くなり、ウエストバンドが本体部から露出する量が低減することを抑制できる。装着者は、使い捨ておむつの使用前から、ウエストバンドの一部を視認し易くなり、ウエストバンドを認識し易くなる。
【００１９】
好ましい一態様によれば、前記ウエストバンドは、前記本体部に接合された接合部と、前記本体部に接合されていない非接合部と、を有してよい。前記非接合部は、前記幅方向に延びるバンド折り目を基点として前記前後方向の外側に折り返されてよい。前記非接合部は、前記接合部から前記バンド折り目まで延びており、かつ起立可能に構成された起立部と、前記バンド折り目から前記前後方向の外側に向かって延びており、前記起立部よりも肌対向面側に位置する折り返し部と、を有してよい。前記起立部の前記前後方向の一方の端縁から他方の端縁までの長さと、前記折り返し部の前記前後方向の一方の端縁から他方の端縁までの長さとの合計の長さは、前記接合部と前記起立部との境界から前記第１外端縁までの長さよりも長くてよい。装着者は、使い捨ておむつを着用者に装着する際に、起立部が起立することによって、折り返し部が装着者に近づくため、装着者がウエストバンドを立体的に視認でき、ウエストバンドを認識し易くなる。
【００２０】
また、起立部と折り返し部との合計長さが、接合部と起立部との境界から第１外端縁までの長さよりも長いため、起立部が起立することによって、折り返し部が本体部よりも前後方向の外側に位置し易くなる。折り返し部が本体部よりも前後方向の外側に位置した場合には、ウエストバンドの一部が本体部１１と重ならないため、ウエストバンドの視認性が向上し、装着者が、ウエストバンドを認識し易くなる。
【００２１】
好ましい一態様によれば、前記起立部の前記前後方向の一方の端縁から他方の端縁までの長さは、前記接合部と前記起立部との境界から前記第１外端縁までの長さよりも長くてよい。起立部の長さが接合部と起立部との境界から第１外端縁までの長さよりも長いため、起立部が起立することによって、折り返し部が装着者により近づき、ウエストバンドをより認識し易くなる。また、起立部の長さが短い場合と比較して、起立部の起立により折り返し部が前後方向の外側へ移動する距離が長くなり、折り返し部が本体部よりも前後方向の外側により位置し易くなる。折り返し部が本体部よりも前後方向の外側に位置した場合には、ウエストバンドの視認性が向上し、装着者が、ウエストバンドを認識し易くなる。
【００２２】
（２）使い捨ておむつの全体概略構成
以下、図面を参照して、実施形態に係る使い捨ておむつについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００２３】
使い捨ておむつは、テープ型の使い捨ておむつである。図１は、実施形態に係る使い捨ておむつ１０の肌対向面側から見た模式平面図である。図２は、図１に示す使い捨ておむつのＡ−Ａ断面に沿った模式断面図である。図２に示す模式断面図では、説明の便宜上、各部材を厚さ方向Ｔにおいて離間して示しているが、実際の製品においては厚さ方向Ｔに接している。図１及び図２は、伸長状態の使い捨ておむつを示している。なお、本発明における伸長状態とは、使い捨ておむつ１０を皺が形成されない状態まで伸長させた状態である。また、本発明における自然状態とは、パッケージに収容されている使い捨ておむつ１０にあっては、パッケージから使い捨ておむつ１０を取り出し、２０℃±２℃、相対湿度６０％±５％ＲＨの雰囲気下において２４時間放置した状態である。図３は、伸長状態における図１に示すＢ−Ｂ線に沿った模式断面図である。図４は、自然状態における図１に示すＢ−Ｂ線に沿った模式断面図である。図５は、図４に示す断面を基準とした着用状態を示す図である。図５に示すＢＬは、着用者の身体のラインを示している。
【００２４】
使い捨ておむつ１０は、互いに直交する前後方向Ｌ及び幅方向Ｗを有する。前後方向Ｌは、身体前側と身体後側とに延びる方向によって規定される。言い換えると、前後方向Ｌは、展開された使い捨ておむつ１０において前後に延びる方向である。また、使い捨ておむつ１０は、前後方向Ｌと幅方向Ｗの両方の直交する厚さ方向Ｔを有する。厚さ方向Ｔは、着用者側に向かう肌対向面側Ｔ１と、肌対向面側と反対側の非肌対向面側Ｔ２と、に延びる。
【００２５】
使い捨ておむつ１０は、前胴回り域Ｓ１と、後胴回り域Ｓ２と、股下域Ｓ３と、を有する。前胴回り域Ｓ１は、着用者の前胴回り（腹部）に対向する領域である。後胴回り域Ｓ２は、着用者の後胴回り（背部）に対向する領域であり、装着時に身体（臀部）が載せられる領域を含む。股下域Ｓ３は、着用者の股下に位置し、前胴回り域Ｓ１と後胴回り域Ｓ２との間に配置された領域である。従って、股下域Ｓ３は、前胴回り域Ｓ１及び後胴回り域Ｓ２からなる２つの胴回り域の間に配置されている。股下域Ｓ３は、着用者の脚回りに配置される脚回り開口部６５が設けられた領域である。脚回り開口部６５は、使い捨ておむつ１０の外側縁から幅方向の内側に凹む部分である。
【００２６】
使い捨ておむつ１０は、本体部１１と後述するウエストバンド８０とからなる。本体部１１は、ウエストバンド８０よりも非肌対向面側Ｔ２に配置されている部材により構成される。従って、本体部１１は、使い捨ておむつ１０を構成する部材のうち、ウエストバンド８０を除いた部材により構成されている。本体部１１は、後述する吸収コア３１を含んでいる。
【００２７】
本体部１１は、前胴回り域Ｓ１において前後方向Ｌの外側（前側）に位置する外端縁である前端縁１１Ｆと、後胴回り域Ｓ２において前後方向Ｌの外側（後側）に位置する外端縁である後端縁１１Ｒと、を有する。
【００２８】
使い捨ておむつ１０は、吸収材料を含む吸収コア３１を含む。吸収コア３１は、粉砕パルプもしくは高吸収性ポリマー（ＳＡＰ）、又はこれらの混合物等の吸収材料を含む。吸収コア３１は、図示しないコアラップによって覆われてよい。吸収コア３１とコアラップによって吸収体が構成されてよい。コアラップは、テッシュ又はＳＭＳ不織布によって構成され、吸収コア３１の肌対向面側Ｔ１と吸収コア３１の非肌対向面側Ｔ２に配置されてよい。
【００２９】
図２に示すように、使い捨ておむつ１０は、吸収コア３１よりも肌対向面側Ｔ１に位置する肌面側シート２０を有する。肌面側シート２０は、吸収コア３１を覆い、かつ使い捨ておむつ１０の全体に亘って配置されている。本実施形態の肌面側シート２０は、表面シート２１と一対のサイドシート２２を含む。なお、コアラップを有する使い捨ておむつにあっては、肌面側シート２０は、コアラップよりも肌対向面側Ｔ１に位置するシートである。表面シート２１は、吸収コア３１の幅方向Ｗの中心を跨いで配置されてよい。一対のサイドシート２２は、表面シート２１の両外側部を覆うように配置されてよい。表面シート２１及びサイドシート２２は、例えば不織布や開孔プラスチックフィルムのような透液性シートによって構成されていてよい。
【００３０】
サイドシート２２の内側部は、折り返されて重なってよい。重なったサイドシート２２間には、前後方向Ｌに延びる防漏弾性部材６１が設けられてよい。防漏弾性部材６１は、前後方向Ｌに伸縮する。防漏弾性部材６１は、前後方向Ｌに伸縮する糸ゴムによって構成されてよい。サイドシート２２は、防漏弾性部材６１の収縮によって肌対向面側Ｔ１に起立する。一対のサイドシート２２は、防漏ギャザー６０を構成する。防漏ギャザー６０は、防漏弾性部材６１の収縮によって起立する収縮部６３を有する。防漏ギャザー６０は、収縮部６３の起立支点となる防漏基端縁６４を有する。防漏基端縁６４は、第１防漏基端縁６４１と第２防漏基端縁６４２とを有する。
【００３１】
第１防漏基端縁６４１は、収縮部６３よりも幅方向Ｗの外側において収縮部６３の起立支点となる。第１防漏基端縁６４１は、収縮部６３よりも幅方向の外側においてサイドシート２２と表面シート２１が接合された領域の内側縁である。第２防漏基端縁６４２は、収縮部６３よりも前後方向Ｌの両外側において収縮部６３の起立支点となる。第２防漏基端縁６４２は、収縮部６３よりも前後方向Ｌの両外側においてサイドシート２２と表面シート２１が接合された領域の内端縁である。
【００３２】
収縮部６３は、サイドシート２２が表面シート２１に接合されてなく、防漏弾性部材６１によって収縮可能な部分であり、非伸長状態の防漏弾性部材６１が配置された部分を含まない。収縮部６３の前後方向の範囲を図１に示す。
【００３３】
ここで、本発明における外側部とは、幅方向Ｗにおける外側の縁を含む幅方向Ｗに一定の範囲を占める部分であり、外側縁とは、幅方向Ｗにおける外側の縁である。また、内側部とは、幅方向Ｗにおける内側の縁を含む幅方向Ｗに一定の範囲を占める部分であり、内側縁とは、幅方向Ｗにおける内側の縁である。
【００３４】
使い捨ておむつ１０は、吸収コア３１よりも非肌対向面側Ｔ２に位置する非肌面側シート２５を有する。非肌面側シート２５は、吸収コア３１を覆い、かつ使い捨ておむつ１０の全体に亘って配置されている。本実施形態の非肌面側シート２５は、裏面シート２３と外装シート２４を含む。なお、コアラップを有する使い捨ておむつにあっては、非肌面側シート２５は、コアラップよりも非肌対向面側Ｔ２に位置するシートである。裏面シート２３は、液不透過性のシートであり、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。外装シート２４は、裏面シート２３の非肌対向面側Ｔ２に設けられてよい。外装シート２４は、液透過性の不織布によって構成されてよい。裏面シート２３の幅方向Ｗの長さは、外装シート２４の幅方向Ｗの長さよりも短く、裏面シート２３の前後方向Ｌの長さは、外装シート２４の前後方向Ｌの長さよりも短くてよい。
【００３５】
後胴回り域Ｓ２には、ファスニングテープ９０が設けられている。ファスニングテープ９０は、ベース部９２と係止部９３を有する。ベース部９２の少なくとも一部は、肌面側シート２０と非肌面側シート２５の間に接合され、かつ肌面側シート２０と非肌面側シート２５から幅方向Ｗの外側に延出する。係止部９３は、ベース部９２上に設けられ、ターゲット部９５（図１参照）に着脱可能に止着される。ファスニングテープ９０は、後胴回り域Ｓ２において幅方向Ｗに沿って延び、ターゲット部９５に止着されることにより、使い捨ておむつ１０を着用者の身体に保持する。ターゲット部９５は、前胴回り域Ｓ１に配置されており、ファスニングテープ９０がそれぞれ止着するように構成されている。
【００３６】
使い捨ておむつ１０は、２つの胴回り域（前胴回り域Ｓ１及び後胴回り域Ｓ２）の少なくとも一方の胴回り域に配置されているウエストバンド８０を有する。本実施の形態では、ウエストバンド８０は、後胴回り域Ｓ２に配置されている。ウエストバンド８０は、本体部１１の肌対向面側Ｔ１に配置されている。ウエストバンド８０は、肌面側シート２０の肌対向面側Ｔ１に配置されている。ウエストバンド８０は、着用時に肌面側シート２０から浮き上がる。これにより、股下域Ｓ３側に向かって開口する空間（図４及び図５の収容空間ＡＳ）が形成される。収容空間ＡＳの少なくとも肌対向面側Ｔ１には、ウエストバンド８０が配置されている。本実施形態では、収容空間ＡＳの肌対向面側Ｔ１にウエストバンド８０が配置されており、収容空間ＡＳの非肌対向面側Ｔ２に本体部１１（肌面側シート２０）が配置されている。収容空間ＡＳは、ウエスト開口６６側に移動する排泄物を収容するポケットとして機能する。これにより、ウエスト開口６６から排泄物が漏れることを抑制できる。ウエストバンド８０の構成については、後述にて詳細に説明する。ウエスト開口６６は、使い捨ておむつ１０の後端縁１０Ｒと前端縁１０Ｆによって構成され、ファスニングテープ９０がターゲット部９５に止着した状態で腰回りを囲む部分である。
【００３７】
図１に示すように、サイドシート２２と裏面シート２３との間、又はサイドシート２２と外装シート２４との間には、前後方向Ｌに延びる脚回り弾性部材４２が設けられてよい。脚回り弾性部材４２は、前後方向Ｌに伸縮する帯状の伸縮シートによって構成されてよい。脚回り弾性部材４２の収縮によって、着用時に使い捨ておむつ１０が脚回りにフィットする。脚回り弾性部材４２は、吸収コア３１よりも幅方向Ｗの外側において、少なくとも股下域Ｓ３において脚回り開口部６５に沿って配置されている。
【００３８】
サイドシート２２と裏面シート２３との間、及びサイドシート２２と外装シート２４との間には、幅方向Ｗに延びる腰回り弾性部材４５が設けられてよい。腰回り弾性部材４５は、幅方向Ｗに伸縮する略矩形の伸縮シートによって構成されてよい。腰回り弾性部材４５は、肌面側シート２０と非肌面側シート２５の間に接合されている。より詳細には、図２に示すように、腰回り弾性部材４５は、幅方向Ｗに伸長した状態で、吸収コア３１と非肌面側シート２５の間、又は肌面側シート２０と非肌面側シート２５の間に接合されている。腰回り弾性部材４５の収縮によって、着用時に使い捨ておむつ１０が腰回りにフィットする。腰回り弾性部材４５は、少なくとも後胴回り域Ｓ２に配置されている。本実施形態において、腰回り弾性部材４５は、厚さ方向Ｔおいて吸収コア３１と重なっている。従って、腰回り弾性部材４５の前端縁４５Ｆは、吸収コア３１の後端縁よりも前側に位置しており、腰回り弾性部材４５の後端縁４５Ｒは、吸収コア３１の前端縁よりも後側に位置している。
【００３９】
使い捨ておむつ１０は、吸収コア３１の外側縁３１Ｅよりも幅方向Ｗの外側に延びるサイドフラップ１６を有する。サイドフラップ１６は、ファスニングテープ９０を含む。
【００４０】
（３）ウエストバンドの構成
次いで、ウエストバンド８０の構成について詳細に説明する。図３から図５に示すように、ウエストバンド８０は、複数のシートが積層されたシート層８１と、シート層８１に接合されたバンド弾性部材８２と、を有してよい。本実施形態のウエストバンド８０のシート層８１は、第１不織布層８１１と、第２不織布層８１２と、第１不織布層８１１と第２不織布層８１２の間に配置されたフィルム層８１３と、を含んでよい。第１不織布層８１１と第２不織布層８１２は、同一の不織布が折り返されることによって、同一の不織布により構成されている。第１不織布層８１１は、ウエストバンド８０において最も肌面側シート２０側に位置している。
【００４１】
バンド弾性部材８２は、幅方向Ｗに伸縮する。バンド弾性部材８２は、糸状又は帯状の弾性部材によって構成され、幅方向Ｗに伸長した状態で、シート層８１に固定されている。バンド弾性部材８２は、第１不織布層８１１と液不透過性のフィルム層８１３との間に固定されている。バンド弾性部材８２は、前後方向Ｌに間隔を空けて複数配置されている。バンド弾性部材８２は、後述する肌当接部８５１と起立部８５２とにおいて、それぞれ複数配置されてよい。
【００４２】
ウエストバンド８０は、幅方向Ｗに伸縮可能に構成されている。ウエストバンド８０は、バンド弾性部材８２によって幅方向に伸縮するように構成されていてもよいし、シート層８１が伸縮性を有することによって幅方向に伸縮するように構成されていてもよい。
【００４３】
ウエストバンド８０は、幅方向Ｗに伸縮するバンド伸縮領域ＢＳＲを有する（図３参照）。バンド伸縮領域ＢＳＲは、ウエストバンド８０のうち幅方向Ｗに伸縮する領域である。
【００４４】
ウエストバンド８０は、後胴回り域Ｓ２においてウエスト開口６６の近傍に配置されてよい。ウエストバンド８０の外側縁８０Ｅは、吸収コア３１の外側縁３１Ｅよりも幅方向Ｗの外側に位置してよく、ファスニングテープ９０の内側縁よりも幅方向Ｗの内側に位置してもよい。ウエストバンド８０の前端縁８０Ｆは、ファスニングテープ９０の前端縁９０Ｆよりも後側に位置してよい。
【００４５】
図３から図５に示すように、ウエストバンド８０は、本体部１１（より具体的には、肌面側シート２０）に接合されている。ウエストバンド８０の接合方法として、例えば、ホットメルト型接着剤（ＨＭＡ）等の接合部材、ソニックシール、ヒートシールなどが用いられる。本実施形態では、ウエストバンド８０は、接合部材８３によって接合されている。
【００４６】
接合部材８３は、第１接合部材８３１と、第２接合部材８３２と、を有する。第１接合部材８３１は、ウエストバンド８０の前後方向Ｌの端部に配置されており、幅方向Ｗに延びている（図３参照）。第２接合部材８３２は、ウエストバンド８０の幅方向Ｗの端部に配置されており、前後方向Ｌに延びている（図２参照）。
【００４７】
ウエストバンド８０は、本体部１１に接合された接合部８４と、本体部１１に接合されていない非接合部８５と、を有する。
【００４８】
接合部８４は、接合部材８３に当接している部分であり、本体部１１と直接的に固定されている。接合部８４は、第１接合部８４１と、第２接合部８４２と、を有する。第１接合部８４１は、ウエストバンド８０の前後方向Ｌの端部に配置されており、幅方向Ｗに延びている。本実施形態では、第１接合部８４１は、非接合部８５（詳細には、起立部８５２）よりも後側に配置されている。第１接合部８４１は、第１接合部材８３１に当接している部分である。第２接合部８４２は、ウエストバンド８０の幅方向Ｗの両端部に位置し、本体部１１に接合されている一対のサイド接合部である。第２接合部８４２は、前後方向Ｌに延びている。第２接合部８４２は、非接合部８５よりも幅方向Ｗの外側に配置されている（図２参照）。第２接合部８４２は、第２接合部材８３２に当接している部分である。
【００４９】
非接合部８５は、接合部材８３に接していない部分であり、本体部１１との距離を変更可能である。非接合部８５は、着用者の肌に当接する肌当接面８５１Ｓを有する肌当接部８５１を有している。
【００５０】
図４及び図５に示すように、本実施形態では、ウエストバンド８０の非接合部８５と肌面側シート２０とによって挟まれた収容空間ＡＳによって、前側に向かって開口するポケットが形成されている。肌当接部８５１は、収容空間ＡＳの肌対向面側Ｔ１に配置されている。
【００５１】
非接合部８５は、本体部１１（より具体的には、肌面側シート２０）に対して起立する起立部８５２を有してよい。本実施形態において、非接合部８５は、バンド折り目ＦＬＢを基点として前後方向Ｌの外側に折り返されている。肌当接部８５１は、幅方向Ｗに沿ったバンド折り目ＦＬＢによってウエストバンド８０が折り返されている部分（折り返し部）により構成されている。肌当接部（折り返し部）８５１は、バンド折り目ＦＬＢから前後方向Ｌの外側（後側）に向かって延びており、起立部８５２よりも肌対向面側Ｔ１に位置している。
【００５２】
起立部８５２は、バンド折り目ＦＬＢによってウエストバンド８０が折り返されていない部分により構成されている。起立部８５２は、接合部８４からバンド折り目ＦＬＢまで延びており、かつ起立可能に構成されている。本明細書において、起立部８５２は、非接合部８５のうち着用者の肌に当接しない部分である。なお、図３から図５に示すように、着用者の動き及び／又は起立部８５２の起立具合によって、着用者の肌と当接する領域が変化する。従って、肌当接部８５１の前後方向Ｌの長さと起立部８５２の前後方向Ｌの長さは、変化してもよい。
【００５３】
ここで、肌当接部（折り返し部）８５１の前後方向Ｌの一方の端縁（前端縁８５１Ｆ）から他方の端縁（後端縁８５１Ｒ）までの長さをＡとする。起立部８５２の前後方向Ｌの一方の端縁（前端縁８５２Ｆ）から他方の端縁（後端縁８５２Ｒ）までの長さをＢとする。この場合、ＡとＢとのそれぞれは、着用者の動き及び／又は起立部８５２の起立具合によって、変化してもよい。一方で、ＡとＢとの合計（Ａ＋Ｂ）は、一定である。
【００５４】
接合部８４と起立部８５２との境界から本体部１１の後端縁１１Ｒまでの長さをＣとする。この場合、ＡとＢとの合計の長さは、長さＣよりも長くてよい。すなわち、「Ａ＋Ｂ＞Ｃ」の条件を満たしてよい。装着者は、使い捨ておむつ１０を着用者に装着する際に、起立部８５２が起立することによって、肌当接部（折り返し部）８５１が装着者に近づくため、装着者がウエストバンド８０を立体的に視認でき、ウエストバンド８０を認識し易くなる。また、起立部８５２と肌当接部（折り返し部）８５１との合計長さＡ＋Ｂが、長さＣよりも長いため、起立部８５２が起立することによって、肌当接部（折り返し部）８５１が本体部１１よりも前後方向Ｌの外側（後側）に位置し易くなる。この場合、ウエストバンド８０の一部が厚さ方向Ｔにおいて後胴回り域Ｓ２の本体部１１と重ならないため、ウエストバンド８０の視認性が向上し、装着者が、ウエストバンド８０を認識し易くなる。
【００５５】
なお、「Ａ＋Ｂ＜Ｃ」の条件を満たす場合であっても、例えば、後述するように、ウエストバンド８０が変形したり、本体部１１が変形したりすることにより、ウエストバンド８０の一部が、後端縁１１Ｒの前後方向Ｌの外側で露出することが可能であることに留意すべきである。
【００５６】
起立部８５２の長さＢは、長さＣよりも長くてよい。すなわち、「Ｂ＞Ｃ」の条件を満たしてよい。起立部８５２の長さＢが短い場合と比較して、起立部８５２の起立により肌当接部（折り返し部）８５１が前後方向Ｌの外側（後側）へ移動する距離が長くなり、肌当接部（折り返し部）８５１が本体部１１よりも前後方向Ｌの外側により位置し易くなる。肌当接部（折り返し部）８５１が本体部１１よりも前後方向Ｌの外側に位置した場合には、ウエストバンド８０の一部が厚さ方向Ｔにおいて後胴回り域Ｓ２の本体部１１と重ならないため、ウエストバンド８０の視認性が向上し、装着者が、ウエストバンド８０を認識し易くなる。
【００５７】
起立部８５２は、液不透過性のフィルム層８１３を有する。本実施形態において、起立部８５２は、収容空間ＡＳの肌対向面側Ｔ１に配置されている。液不透過性のフィルム層８１３を有する起立部８５２が収容空間ＡＳの肌対向面側Ｔ１に配置されているため、ポケットとして機能する収容空間ＡＳに収容された排泄物が、フィルム層８１３が配置されている肌対向面側Ｔ１から滲み出すことを抑制することができる。使用後の排泄物の滲み出しを抑制することで、装着者に漏れ不安に対する安心感をさらに与え易くなる。
【００５８】
ウエストバンド８０は、起立部８５２の起立支点となる基端縁を有してよい。基端縁は、起立部８５２よりもウエスト開口６６側に位置する第１基端縁と、吸収コア３１よりも幅方向Ｗの外側に位置する第２基端縁と、を有する。第１基端縁は、接合部８４（第１接合部８４１）の前端縁８４Ｆによって構成されている。接合部８４は、第１基端縁から前後方向Ｌに延びている。第２基端縁は、接合部８４（第２接合部８４２）の側端縁８４Ｅによって構成されている。
【００５９】
なお、図２に示すように、ウエストバンド８０の幅方向Ｗの側端部どうしは、接合部材８３であるサイド接合部材８３３により接合されてよい。非接合部８５は、サイド接合部材８３３の肌対向面側Ｔ１に配置されている一対の肌当接接合部８５３を有してよい。一対の肌当接接合部８５３の非肌対向面側Ｔ２は、サイド接合部材８３３により第２接合部８４２と接合されている。
【００６０】
なお、図１に示すように、使い捨ておむつ１０の伸長状態において、ウエストバンド８０の後端縁８０Ｒは、係止部９３の後端縁９３Ｒよりも後側に配置されてよいし、ファスニングテープ９０の後端縁９０Ｒよりも後側に配置されてよい。これにより、ウエストバンド８０がウエスト開口６６側に配置されるため、ウエストバンド８０の視認性を向上させることができる。また、ウエストバンド８０の後端縁８０Ｒは、吸収コア３１の後端縁よりも後側に配置されてよい。これにより、吸収コア３１が排泄物を吸収しきれない場合に、吸収コア３１の後端縁よりも後側へ移動する排泄物を収容空間ＡＳに収容することができる。
【００６１】
また、使い捨ておむつ１０の伸長状態において、ウエストバンド８０の前端縁８０Ｆは、ファスニングテープ９０の前端縁９０Ｆよりも後側に配置されてよいし、係止部９３の前端縁９３Ｆよりも後側に配置されてよい。これにより、ウエストバンド８０が必要以上に長くなりすぎず、資材コストが増加することを抑制できる。また、ウエストバンド８０の前端縁８０Ｆは、吸収コア３１の後端縁よりも前側に配置されてよい。これにより、収容空間ＡＳの始まりが吸収コアの後端縁よりも前側に位置するため、吸収コア３１の後端縁よりも後側へ移動する排泄物を収容空間ＡＳに収容することができる。
【００６２】
また、使い捨ておむつ１０の伸長状態において、ウエストバンド８０の後端縁８０Ｒは、後胴回り域Ｓ２における本体部１１と厚さ方向Ｔおいて重なってよい。従って、使い捨ておむつ１０の伸長状態において、ウエストバンド８０の後端縁８０Ｒが本体部１１の後端縁１１Ｒよりも後側に配置されてなくてよい。ウエストバンド８０の後端縁８０Ｒは、本体部１１の後端縁１１Ｒよりも前側（股下域Ｓ３側）に配置されてよいし、ウエストバンド８０の後端縁８０Ｒと本体部１１の後端縁１１Ｒとが厚さ方向Ｔおいて重なってよい。これにより、使い捨ておむつ１０の搬送中に、ウエストバンド８０に直に働く力を抑制でき、使い捨ておむつ１０の使用前においてウエストバンド８０を保護することができる。
【００６３】
（４）二つ折りの自然状態での使い捨ておむつ１０
次に、二つ折りの自然状態での使い捨ておむつ１０について、図６から図９を用いて説明する。図６は、二つ折りの自然状態における実施形態に係る使い捨ておむつ１０の模式平面図である。図６Ａは、二つ折りの自然状態での使い捨ておむつ１０を後胴回り域Ｓ２側から見た模式平面図である。図６Ｂは、二つ折りの自然状態での使い捨ておむつ１０を前胴回り域Ｓ１側から見た模式平面図である。図７は、図６のＣ−Ｃ線に沿った模式断面図である。図８は、実施形態に係るウエストバンド８０を説明するための模式図である。図８Ａは、伸長状態におけるウエストバンド８０を肌対向面側Ｔ１から見た模式平面図である。図８Ｂは、自然状態におけるウエストバンド８０を肌対向面側Ｔ１から見た模式平面図である。図９は、腰回り弾性部材４５を説明するための模式図である。図９Ａは、伸長状態における腰回り弾性部材４５（ウエスト収縮領域ＷＲ）を肌対向面側Ｔ１から見た模式平面図である。図９Ｂは、二つ折りの自然状態における腰回り弾性部材４５（ウエスト収縮領域ＷＲ）を肌対向面側Ｔ１から見た模式平面図である。
【００６４】
図６に示す使い捨ておむつ１０は、二つ折りの自然状態である。二つ折りの自然状態では、ウエストバンド８０が本体部１１に挟まれるように少なくとも第１折り目を基点として使い捨ておむつ１０が折り畳まれている状態である。本実施形態では、二つ折りの自然状態での使い捨ておむつ１０は、第１折り目ＦＬ１及び第２折り目ＦＬ２を基点に折り畳まれている状態である。
【００６５】
第１折り目ＦＬ１は、幅方向Ｗに沿って延びる折り目であり、股下域Ｓ３に配置されている折り目である（図１参照）。第１折り目ＦＬ１は、一般的に、使い捨ておむつ１０を前後方向Ｌの中心付近に配置されている。使い捨ておむつ１０は、第１折り目ＦＬ１を基点に折り畳まれることにより、前後方向Ｌの長さが約半分にできる。本実施形態では、第１折り目ＦＬ１は、使い捨ておむつ１０の前後方向Ｌの中心Ｏを通っている。
【００６６】
第２折り目ＦＬ２は、使い捨ておむつ１０の前後方向Ｌの端縁（前端縁１０Ｆ、後端縁１０Ｒ）から股下域側へ向かって延びる折り目である。第２折り目ＦＬ２の少なくとも一部は、吸収コア３１の外側縁３１Ｅよりも幅方向Ｗの外側に位置してよい。第２折り目ＦＬ２は、吸収コア３１の前後方向Ｌの端縁よりも外側の領域では、吸収コア３１の外側縁３１Ｅよりも幅方向Ｗの内側に位置してよい。図６に示すように、実施形態では、第２折り目ＦＬ２は、前後方向Ｌに延びるものの、前後方向Ｌに対して傾斜して延びてよい。また、図６に示すように、第２折り目ＦＬ２は、二つ折りの自然状態における平面視において、吸収コア３１（吸収体）と重ならないように延びている。なお、第２折り目ＦＬ２は、二つ折りの自然状態における平面視において、吸収コア３１（吸収体）と重なってもよい。
【００６７】
また、第２折り目ＦＬ２は、サイドフラップ１６（の少なくとも一部）を折り返すための折り目である。ウエストバンド８０が配置されている後胴回り域Ｓ２において、第２折り目ＦＬ２を基点として使い捨ておむつ１０が折られることにより、サイドフラップ１６が肌対向面側Ｔ１からウエストバンド８０に重なっている。
【００６８】
使用前の使い捨ておむつ１０は、かさばらないように、一般的に、第１折り目ＦＬ１及び第２折り目ＦＬ２を基点として折られた状態である。使い捨ておむつ１０は、第２折り目ＦＬ２を基点に折られた後に、第１折り目ＦＬ１を基点に折られている。これにより、折り返されたサイドフラップ１６が前胴回り域Ｓ１と後胴回り域Ｓ２との間に挟まれた状態である。
【００６９】
図６及び図７に示すように、ウエストバンド８０は、二つ折りの自然状態において、本体部１１から露出する露出部８８を有する。露出部８８は、二つ折りの自然状態において、ウエストバンド８０のうち、肌対向面側Ｔ１及び非肌対向面側Ｔ２の少なくとも一方において、本体部１１と厚さ方向Ｔおいて重なっていない部分である。従って、露出部８８は、二つ折りの自然状態において、視認可能な部分である。
【００７０】
図６Ａ及び図７に示すように、実施形態において、二つ折りの自然状態において、ウエストバンド８０の一部は、本体部１１の後端縁１１Ｒの前後方向Ｌの外側で露出している。従って、ウエストバンド８０は、二つ折りの自然状態において、本体部１１から露出する第１露出部８８１（露出部８８）を有する。第１露出部８８１は、二つ折りの自然状態において、ウエストバンド８０のうち、本体部１１の後端縁１１Ｒよりも前後方向Ｌの外側で露出している部分である。これにより、装着者は、後胴回り域Ｓ２側からの使い捨ておむつ１０の平面視において、使い捨ておむつ１０の使用前から、本体部１１から露出しているウエストバンド８０の一部を視認することができ、ウエストバンド８０を認識し易くなる。装着者が、ウエストバンドを認識することで、ウエスト開口６６からの排泄物の漏れに対する不安感を低減でき、装着者に漏れ不安に対する安心感を与えることができる。また、装着者がウエストバンドを認識している場合には、使い捨ておむつ１０を着用者に装着する際に、ウエストバンド８０が不適切に折れ曲がった状態であることに気付き易くなる。装着者は、ウエストバンド８０が不適切に折れ曲がった状態である場合には、ウエストバンド８０が適切な状態となるように直すことで、ウエスト開口６６から排泄物が漏れ出することを抑制できるため、装着者に漏れ不安に対する安心感を与えることができる。
【００７１】
また、装着者が、ウエスト開口側から二つ折りの自然状態における使い捨ておむつ１０を視認するケース（例えば、複数の使い捨ておむつ１０が包装体に収容されているケースなど）において、ウエストバンド８０の一部が、本体部１１の後端縁１１Ｒよりも前後方向Ｌの外側で露出しているため、ウエストバンド８０が露出していない場合と比較して、ウエストバンド８０が装着者の視点の近くに位置する。従って、使い捨ておむつ１０の上面視において（すなわち、ウエスト開口側から視て）、装着者がウエストバンド８０を視認し易くなる。
【００７２】
図６Ｂ及び図７に示すように、実施形態において、二つ折りの自然状態において、ウエストバンド８０の一部は、本体部１１の前端縁１１Ｆの前後方向Ｌの外側で露出している。従って、ウエストバンド８０は、二つ折りの自然状態において、本体部１１から露出する第２露出部８８２（露出部８８）を有する。第２露出部８８２は、二つ折りの自然状態において、ウエストバンド８０のうち、本体部１１の前端縁１１Ｆよりも前後方向Ｌの外側で露出している部分である。二つ折りの自然状態において、ウエストバンド８０の一部は、本体部１１の後端縁１１Ｒだけでなく、本体部１１の前端縁１１Ｆよりも前後方向Ｌの外側で露出するため、ウエストバンド８０の一部は、前胴回り域Ｓ１側からの使い捨ておむつ１０の平面視において視認可能である。従って、装着者は、使い捨ておむつの使用前から、本体部から露出しているウエストバンド８０の一部をより視認し易くなり、ウエストバンド８０をより認識し易くなる。
【００７３】
図８に示すように、本体部１１に接合されていない肌当接部８５１は、外肌当接部８５１Ｏと内肌当接部８５１Ｉとを有する。外肌当接部８５１Ｏは、肌当接部８５１の前後方向Ｌの中心Ｃ１よりも外側の部分である。内肌当接部８５１Ｉは、中心Ｃ１よりも内側の部分である。内肌当接部８５１Ｉの幅方向Ｗの収縮力は、外肌当接部８５１Ｏの幅方向Ｗの収縮力よりも大きくてよい。この場合、内肌当接部８５１Ｉは、外肌当接部８５１Ｏよりも幅方向Ｗに収縮する。これにより、内肌当接部８５１Ｉの幅方向Ｗの長さが外肌当接部８５１Ｏの幅方向の長さよりも短くなる。外肌当接部８５１Ｏと内肌当接部８５１Ｉとは同じ肌当接部８５１であるため、外肌当接部８５１Ｏのうち内肌当接部８５１Ｉに近い部分は、内肌当接部８５１Ｉの収縮によりさらに収縮する。一方で、外肌当接部８５１Ｏのうち内肌当接部８５１Ｉから遠い部分は、内肌当接部８５１Ｉの収縮の影響を受け難く、内肌当接部８５１Ｉの収縮により収縮し難い。従って、図８Ｂに示すように、肌当接部８５１の幅方向Ｗの中央が前後方向Ｌの外側（後側）に向かって突出するように肌当接部８５１が円弧状に変形し易い。これにより、肌当接部８５１の幅方向の中央が、肌当接部８５１の幅方向Ｗの端部よりも前後方向Ｌの外側に突出し易くなる。図６Ａに示すように、肌当接部８５１の幅方向Ｗの端部が本体部１１から露出していない場合であったとしても、肌当接部８５１の幅方向Ｗの中央が本体部１１から露出し、装着者が、ウエストバンド８０を認識し易くなる。
【００７４】
なお、肌当接部８５１は、収縮によって皺が寄るため、図８Ｂに示すようなきれいな円弧形状に変形しなくてもよい。肌当接部８５１の幅方向Ｗの中央が、肌当接部８５１の幅方向Ｗの端部よりも後側に突出すればよい。
【００７５】
「収縮力」は、以下の方法により、測定されてよい。収縮力を測定する際は、測定対象となる試験片を作成する。試験片の両端部を引張試験器のチャック（挟持具）によって挟持する。このとき、チャック間の距離を５０ｍｍとする。次に、幅方向Ｗにおけるチャックの一方を固定した状態で、チャック間の距離を変えるようにチャックのもう一方を移動させる。このときのチャックの移動スピードは、３００ｍｍ／ｍｉｎとする。チャックの移動中に、チャックにかかる応力を測定し、伸長状態から６０％（一定幅）の状態で得られた応力（Ｎ）を「収縮力」と定義する。
【００７６】
図９に示すように、本体部１１は、腰回り弾性部材４５により構成されるウエスト収縮領域ＷＲを有する。ウエスト収縮領域ＷＲは、本体部１１の幅方向Ｗの中央を跨がるように幅方向Ｗに延びている。ウエスト収縮領域ＷＲは、幅方向Ｗに収縮する。ウエスト収縮領域ＷＲの収縮によって、ウエスト収縮領域ＷＲを有する本体部１１も収縮する。ウエスト収縮領域ＷＲの前後方向Ｌの内側部分のうち吸収コア３１と重なっている重複部分ＷＲ１は、ウエスト収縮領域ＷＲの前後方向Ｌの外側部分ＷＲ２と比べて、吸収コア３１の剛性によって幅方向Ｗに収縮し難くなる。従って、ウエスト収縮領域ＷＲの重複部分ＷＲ１と厚さ方向Ｔに重なる本体部の幅方向Ｗの長さが、ウエスト収縮領域ＷＲの外側部分ＷＲ２と厚さ方向Ｔに重なる本体部１１の幅方向Ｗの長さよりも長くなる。従って、図９Ｂに示すように、本体部１１の後端縁１１Ｒの幅方向Ｗの中央が内側に向かって凹むように、吸収コア３１の延長上の領域である延長領域ＥＲにおいて本体部１１（の後端縁１１Ｒ）が円弧状により変形し易くなる。このため、ウエストバンド８０の幅方向Ｗの端部が本体部１１から露出していない場合であったとしても、ウエストバンド８０の幅方向Ｗの中央が本体部１１からより露出し、装着者が、ウエストバンドを認識し易くなる。
【００７７】
なお、本体部１１（の後端縁１１Ｒ）は、収縮によって皺が寄るため、図９Ｂに示すようなきれいな円弧形状に変形しなくてもよい。本体部１１（の後端縁１１Ｒ）の幅方向Ｗの中央が股下域Ｓ３側に凹めばよい。
【００７８】
また、図１及び図２に示すように、ウエストバンド８０は、一対のサイド接合部（第２接合部）８４２を有してよい。一対のサイド接合部８４２のそれぞれは、吸収コア３１の外側縁３１Ｅよりも幅方向Ｗの外側に位置してよい。これにより、一対のサイド接合部８４２のそれぞれの少なくとも一部は、吸収コア３１上及び延長領域ＥＲから離れて位置している。従って、図９Ｂに示すように、本体部１１の後端縁１１Ｒの幅方向Ｗの中央が内側に向かって凹むように、延長領域ＥＲにおいて本体部１１が円弧状に変形しても、延長領域ＥＲから離れて位置するサイド接合部８４２が当該本体部１１の変形による影響を受けなくなる。これにより、ウエストバンド８０の幅方向の中央が内側（股下域Ｓ３側）に向かって凹むことを抑制でき、ウエストバンド８０が本体部１１から露出する量が低減することを抑制できる。ウエストバンド８０の露出量の低減を抑制することで、装着者は、使い捨ておむつの使用前から、ウエストバンド８０の一部を視認し易くなり、ウエストバンド８０を認識し易くなる。
【００７９】
本実施形態のように、一対のサイド接合部８４２の内側縁が、吸収コア３１の外側縁３１Ｅよりも幅方向Ｗの外側に位置してよい。これにより、一対のサイド接合部８４２が吸収コア３１上及び延長領域ＥＲから離れて位置しているため、本体部１１の変形に影響を受けなくなる。
【００８０】
なお、一対のサイド接合部８４２の内側縁間の距離が長いほど、非接合部８５（起立部８５２）の幅方向Ｗの中央が、サイド接合部８４２から離れるため、前後方向Ｌへ移動し易くなる。従って、上述のウエストバンド８０の収縮によって、非接合部８５（起立部８５２）の幅方向Ｗの中央が、前後方向Ｌの外側に突出する（延びる）距離が増加する。このため、一対のサイド接合部８４２の内側縁が、吸収コア３１の外側縁３１Ｅよりも幅方向Ｗの外側に位置することで、非接合部８５が前後方向Ｌの外側に突出する（延びる）距離が増加するため、ウエストバンド８０の露出量を増加させることができる。
【００８１】
図１に示すように、一対のサイド接合部８４２のそれぞれは、防漏弾性部材６１よりも幅方向Ｗの外側に位置してもよい。一対のサイド接合部８４２は、防漏弾性部材６１の収縮による影響を直接的に受け難くなる。これにより、ウエストバンド８０が前後方向Ｌの内側（股下域Ｓ３側）へ引っ張られ難くなり、ウエストバンド８０が本体部１１から露出する量が低減することを抑制できる。ウエストバンド８０の露出量の低減を抑制することで、装着者は、使い捨ておむつ１０の使用前から、ウエストバンド８０の一部を視認し易くなり、ウエストバンド８０を認識し易くなる。
【００８２】
本実施形態のように、一対のサイド接合部８４２の内側縁が、防漏弾性部材６１よりも幅方向Ｗの外側に位置してよい。これにより、一対のサイド接合部８４２が防漏弾性部材６１の収縮による影響を直接的に受け難くなり、ウエストバンド８０が本体部１１から露出する量が低減することを抑制できる。加えて、一対のサイド接合部８４２の内側縁が、防漏弾性部材６１よりも幅方向Ｗの外側に位置することで、非接合部８５が前後方向Ｌの外側に突出する（延びる）距離がより増加するため、ウエストバンド８０の露出量をより増加させることができる。
【００８３】
図１に示すように、一対のサイド接合部８４２のそれぞれは、第１防漏基端縁６４１よりも幅方向Ｗの外側に位置してよい。これにより、一対のサイド接合部８４２は、収縮部６３の収縮による影響を受け難くなる。これにより、ウエストバンド８０が前後方向の内側（股下域Ｓ３側）へ引っ張られ難くなり、ウエストバンド８０が本体部１１から露出する量が低減することを抑制できる。装着者は、使い捨ておむつ１０の使用前から、ウエストバンド８０の一部を視認し易くなり、ウエストバンド８０を認識し易くなる。
【００８４】
本実施形態のように、一対のサイド接合部８４２の内側縁が、第１防漏基端縁６４１よりも幅方向Ｗの外側に位置してよい。これにより、一対のサイド接合部８４２が収縮部６３の収縮による影響を受け難くなり、ウエストバンド８０が本体部１１から露出する量が低減することを抑制できる。加えて、一対のサイド接合部８４２の内側縁が、第１防漏基端縁６４１よりも幅方向Ｗの外側に位置することで、非接合部８５が前後方向Ｌの外側に突出する（延びる）距離がより増加するため、ウエストバンド８０の露出量をより増加させることができる。
【００８５】
図１に示すように、一対のサイド接合部８４２は、後胴回り域Ｓ２側に配置されている第２防漏基端縁６４２よりも前後方向Ｌの外側に位置してよい。これにより、一対のサイド接合部８４２が収縮部６３の収縮による影響を受け難くなる。従って、ウエストバンド８０が前後方向の内側（股下域Ｓ３側）へ引っ張られ難くなり、ウエストバンド８０が本体部１１から露出する量が低減することを抑制できる。
【００８６】
また、一対の肌当接接合部８５３の内側縁間の距離が長いほど、非接合部８５（肌当接部８５１）の幅方向Ｗの中央が、サイド接合部材８３３から離れるため、前後方向Ｌへ移動し易くなる。すなわち、非接合部８５（肌当接部８５１）の幅方向Ｗの中央が、前後方向Ｌの外側に突出する（延びる）距離が増加する。このため、一対の肌当接接合部８５３の内側縁が、吸収コア３１の外側縁３１Ｅよりも幅方向Ｗの外側に位置することで、非接合部８５が前後方向Ｌの外側に突出する（延びる）距離が増加するため、ウエストバンド８０の露出量を増加させることができる。
【００８７】
また、一対の肌当接接合部８５３の内側縁が、防漏弾性部材６１よりも幅方向Ｗの外側に位置することで、非接合部８５が前後方向Ｌの外側に突出する距離がより増加するため、ウエストバンド８０の露出量をより増加させることができる。
【００８８】
また、一対の肌当接接合部８５３の内側縁が、第１防漏基端縁６４１よりも幅方向Ｗの外側に位置することで、非接合部８５が前後方向Ｌの外側に突出する距離がより増加するため、ウエストバンド８０の露出量をより増加させることができる。
【００８９】
（５）変更例
次に、変更例について、図１０及び図１１を用いて説明する。図１０は、変更例に係る使い捨ておむつ１０を肌対向面側Ｔ１から見た模式平面図である。図１１は、二つ折りの自然状態における変更例に係る使い捨ておむつ１０の模式平面図である。図１１Ａは、二つ折りの自然状態での使い捨ておむつ１０を後胴回り域Ｓ２側から見た模式平面図である。図１１Ｂは、二つ折りの自然状態での使い捨ておむつ１０を前胴回り域Ｓ１側から見た模式平面図である。なお、上述の実施形態と同様の部分は、説明を省略する。
【００９０】
図１０に示すように、ウエストバンド８０には、使い捨ておむつ１０の肌対向面側Ｔ１から視認可能なデザインが設けられてよい。ウエストバンド８０は、デザインが設けられるデザイン領域ＤＲを有してよい。
【００９１】
装着者が使い捨ておむつ１０を着用者に装着する際に、デザインに目が留まり、当該デザインが設けられたウエストバンド８０を認識し易くなる。装着者が、ウエストバンド８０を認識することで、ウエスト開口６６からの排泄物の漏れに対する不安感を低減でき、装着者に漏れ不安に対する安心感を与えることができる。また、装着者がウエストバンド８０を認識している場合には、ウエストバンド８０が不適切に折れ曲がった状態であることに気付き易くなる。装着者は、ウエストバンド８０が不適切に折れ曲がった状態である場合には、ウエストバンド８０が適切な状態となるように直すことで、股下域Ｓ３側に向かって開口する収容空間ＡＳが、ウエスト開口６６側に移動する排泄物を収容するポケットとして適切に機能する。これにより、ウエスト開口６６から排泄物が漏れ出することを抑制できるため、装着者に漏れ不安に対する安心感を与えることができる。
【００９２】
図１１に示すように、露出部８８には、二つ折りの自然状態において視認可能なデザインが設けられてよい。これにより、装着者が、使い捨ておむつ１０を着用者に装着する際に、デザインに目が留まり、当該デザインが設けられたウエストバンドを認識し易くなる。
【００９３】
図１１Ａに示すように、二つ折りの自然状態において、デザイン領域ＤＲは、本体部１１の後端縁１１Ｒよりも前後方向Ｌの外側（後側）で露出してよい。すなわち、第１露出部８８１には、デザインが設けられてよい。これにより、二つ折りの自然状態において、着用者の背中側の非肌対向面側Ｔ２から、ウエストバンド８０に設けられたデザインが視認可能であってよい。着用者が使い捨ておむつを着用者に装着する際に、デザインに目が留まり、当該デザインが設けられたウエストバンドを認識し易くなる。
【００９４】
着用者の背中側の非肌対向面側Ｔ２から、ウエストバンド８０に設けられたデザインを視認し易くするために、デザイン領域ＤＲは、第１露出部８８１の非肌対向面側Ｔ２（具体的には、第２不織布層８１２の肌対向面側Ｔ１又は非肌対向面側Ｔ２、又はフィルム層８１３の非肌対向面側Ｔ２）に設けられてよい。
【００９５】
図１１Ｂに示すように、二つ折りの自然状態において、デザイン領域ＤＲは、本体部１１の前端縁１１Ｆよりも前後方向Ｌの外側（前側）で露出してよい。すなわち、第２露出部８８２には、デザインが設けられてよい。これにより、二つ折りの自然状態において、着用者の腹側の肌対向面側Ｔ１から、ウエストバンド８０に設けられたデザインが視認可能であってよい。着用者が使い捨ておむつを着用者に装着する際に、デザインに目が留まり、当該デザインが設けられたウエストバンドを認識し易くなる。
【００９６】
着用者の腹側の肌対向面側Ｔ１から、ウエストバンド８０に設けられたデザインを視認し易くするために、デザイン領域ＤＲは、第２露出部８８２の肌対向面側Ｔ１（具体的には、第１不織布層８１１の肌対向面側Ｔ１又は非肌対向面側Ｔ２、又はフィルム層８１３の肌対向面側Ｔ１）に設けられてよい。
【００９７】
なお、使い捨ておむつ１０の伸長状態において、デザイン領域ＤＲの後端縁は、係止部９３の後端縁９３Ｒよりも後側に配置されてよいし、ファスニングテープ９０の後端縁９０Ｒよりも後側に配置されてよい。これにより、デザイン領域ＤＲがウエスト開口６６側に配置されるため、デザインが、本体部１１の前端縁１１Ｆ及び後端縁１１Ｒの少なくとも一方から露出し易くなる。従って、ウエストバンド８０の視認性を向上させることができる。
【００９８】
なお、「視認可能」とは、昼白色（色温度目安 ４６００〜５４００ Ｋ（ケルビン））で明るく照明された室内(目安：５００〜７５０ ｌｘ（ルクス））で約３０〜５０ｃｍの距離で、良好な視力（１．０以上）を両眼に有する被験者が対象物を見たときに視認できる事を意味している。
【００９９】
デザインは、模様（図形及び色の組み合わせ）によって構成される。例えば、デザインは、図１１に示すように、前後方向Ｌに延びる縦縞により構成されてよい。これにより、ウエストバンド８０が幅方向Ｗに伸縮可能に構成されている場合、ウエストバンド８０が幅方向Ｗに伸長することによって、縦縞も伸長し、縦縞の幅方向の長さが変化する。これにより、装着者が、ウエストバンドの身体へのフィット性を感じることができるため、ウエスト開口６６からの排泄物の漏れに対する不安感を低減でき、装着者に漏れ不安に対する安心感を与えることができる。
【０１００】
デザインは、幅方向Ｗに延びる横縞、丸形、星型、ハート型などの少なくともいずれかにより構成されてよい。
【０１０１】
デザインには、本体部１１を構成する部材が有する色よりも濃い色が用いられてもよく、本体部１１を構成する部材（肌面側シート２０、非肌面側シート２５等）が有する色の数よりも多い数の色が用いられてもよい。これにより、ウエストバンド８０が目立ち易くなり、デザインに装着者の目が留まり、当該デザインが設けられたウエストバンドを認識し易くなる。また、デザインの色が濃い色及び／又はデザインの色が複数の色であることにより、収容空間ＡＳに収容された排泄物が目立ち難くなる。装着者に漏れ不安に対する安心感を与え易くなる。また、収容空間ＡＳに収容された排泄物が滲み出したとしても、滲み出した排泄物が、デザインと重なったり、デザインに隣接したりすることにより、目立ち難くなる。従って、装着者は、使用後の排泄物の滲み出しに気付き難くなり、装着者に漏れ不安に対する安心感をさらに与え易くなる。
【０１０２】
デザインは、ウエストバンド８０を構成する部材（不織布、又はフィルムなど）に印刷されることによって設けられてよい。また、デザインは、ウエストバンド８０を構成する有色の部材（不織布、フィルムなど）によって設けられてよい。有色の部分がデザインを構成してよい。また、デザインは、例えば、ハート型、星型等のデザイン性を有するヒートシールをウエストバンド８０へ接合することによって設けられてよい。デザインは、ウエストバンド８０を賦形加工することによって設けられてよい。賦形加工によって、例えば、波線、ドット線により模様や図形がウエストバンド８０に描かれてよい。
【０１０３】
デザイン（デザイン領域ＤＲ）は、バンド伸縮領域ＢＳＲに設けられてよい。装着者が、使い捨ておむつ１０を着用者に装着する際に、使い捨ておむつ１０の両側を幅方向Ｗに引っ張って伸長させることによって、バンド伸縮領域ＢＳＲが幅方向Ｗに伸長し、バンド伸縮領域ＢＳＲに設けられたデザインも伸長する。これにより、装着者が、ウエストバンド８０の身体へのフィット性を感じることができるため、ウエスト開口６６からの排泄物の漏れに対する不安感を低減でき、装着者に漏れ不安に対する安心感を与えることができる。
【０１０４】
（６）その他実施形態
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１０５】
上述の実施形態では、後胴回り域Ｓ２にウエストバンド８０が配置されていたが、これに限られない。ウエストバンド８０は、前胴回り域Ｓ１に配置されてよいし、前胴回り域Ｓ１及び後胴回り域Ｓ２の両方に配置されてよい。
【０１０６】
上述の使い捨ておむつ１０において、第１不織布層８１１と第２不織布層８１２とは、同一の不織布により構成されていたが、別々の不織布により構成されてよい。
【０１０７】
上述において、バンド弾性部材８２は、ウエストバンド８０に配置されなくてもよいし、バンド弾性部材８２は、肌当接部８５１と起立部８５２との一方に配置されてよいし、肌当接部８５１と起立部８５２の両方に配置されてよい。バンド弾性部材８２が肌当接部８５１に配置されている場合には、ウエストバンド８０が身体にフィットするため、ウエスト開口６６からの排泄物の漏れを抑制できる。また、バンド弾性部材８２が起立部８５２に配置されている場合には、ウエストバンド８０の起立性が向上するため、ウエストバンド８０が身体に近づき、ウエスト開口６６からの排泄物の漏れを抑制できる。
【０１０８】
また、使い捨ておむつ１０の伸長状態において、デザイン領域ＤＲの後端縁は、ウエストバンド８０の後端縁１１Ｒから前側に離れていてもよい。また、使い捨ておむつ１０の伸長状態において、デザイン領域ＤＲの後端縁は、本体部１１の後端縁１１Ｒよりも前側に位置してよい。ここで、ウエストバンド８０が連続シートに配置された後に、連続シートを切断することによって使い捨ておむつ１０を製造するケースでは、連続シートと共にウエストバンド８０が切断されることで、デザイン領域ＤＲも切断されることがある。この場合、ウエストバンド８０には、不完全なデザインが設けられる。デザイン領域ＤＲの後端縁は、ウエストバンド８０の後端縁１１Ｒから前側に離すことにより、ウエストバンド８０には、不完全なデザインが設けられないようにしてもよい。
【０１０９】
また、肌当接部８５１においてデザイン領域ＤＲが、バンド弾性部材８２よりも肌対向面側Ｔ１に設けられるように、デザインが設けられている第１不織布層８１１又はデザインが設けられているフィルム層８１３が、バンド弾性部材８２よりも肌対向面側Ｔ１に配置されよい。
【０１１０】
上述の実施形態では、腰回り弾性部材４５により構成されるウエスト収縮領域ＷＲは、厚さ方向Ｔにおいて吸収コア３１と重なっていたが、これに限られない。腰回り弾性部材４５は、吸収コア３１と厚さ方向Ｔおいて重ならなくてよい。具体的には、吸収コア３１よりも幅方向Ｗの外側に配置されてよい。この場合、ウエスト収縮領域ＷＲの前後方向Ｌの内側部分は、ウエスト収縮領域ＷＲの前後方向の外側部分に比べると、吸収コア３１側に配置されている。従って、吸収コア３１上及び吸収コア３１の前後方向Ｌの延長上の領域では、吸収コア３１の剛性によって、ウエスト収縮領域ＷＲの内側部分は、ウエスト収縮領域ＷＲの外側部分と比べると幅方向Ｗに収縮し難くなる。これにより、ウエスト収縮領域ＷＲの外側部分と厚さ方向Ｔに重なる本体部１１の幅方向Ｗの長さが、ウエスト収縮領域ＷＲの内側部分と厚さ方向Ｔに重なる本体部１１の長さよりも短くなり易く、本体部１１の後端縁１１Ｒの幅方向Ｗの中央が内側に向かって凹むように、吸収コア３１の延長上の領域において本体部１１が円弧状に変形する。従って、ウエストバンド８０の幅方向Ｗの端部が本体部１１から露出していない場合であったとしても、ウエストバンド８０の幅方向Ｗの中央が本体部１１から露出し、装着者が、ウエストバンドを認識し易くなる。
【０１１１】
なお、腰回り弾性部材４５は、ウエストバンド８０が配置されている胴回り域（前胴回り域Ｓ１及び／又は後胴回り域Ｓ２）に配置されてよい。
【０１１２】
上述の実施形態では、使い捨ておむつ１０は、テープ型の使い捨ておむつであったが、これに限られない。使い捨ておむつ１０は、パンツ型の使い捨ておむつであってもよい。
【０１１３】
上述の実施形態、変更例、及びその他実施形態に係る使い捨ておむつ１０に係る構成は、適宜組み合わせることが可能である
【産業上の利用可能性】
【０１１４】
本発明によれば、ウエストバンドを備える使い捨ておむつであって、ウエスト開口からの排泄物の漏れに対する不安感を低減し、装着者に安心感を与え易い使い捨ておむつを提供できる。
【符号の説明】
【０１１５】
１０      ：使い捨ておむつ
１１      ：本体部
１６      ：サイドフラップ
２０      ：肌面側シート
２１      ：表面シート
２２      ：サイドシート
２３      ：裏面シート
２４      ：外装シート
２５      ：非肌面側シート
３１      ：吸収コア
４２      ：脚回り弾性部材
４５      ：腰回り弾性部材
６０      ：防漏ギャザー
６１      ：防漏弾性部材
６３      ：収縮部
６４      ：防漏基端縁
６５      ：脚回り開口部
６６      ：ウエスト開口
８０      ：ウエストバンド
８１      ：シート層
８２      ：バンド弾性部材
８３      ：接合部材
８４      ：接合部
８５      ：非接合部
８８      ：露出部
９０      ：ファスニングテープ
９２      ：ベース部
９３      ：係止部
９５      ：ターゲット部
６４１    ：第１防漏基端縁
６４２    ：第２防漏基端縁
８１１    ：第１不織布層
８１２    ：第２不織布層
８１３    ：フィルム層
８３１    ：第１接合部材
８３２    ：第２接合部材
８３３    ：サイド接合部材
８４１    ：第１接合部
８４２    ：第２接合部（サイド接合部）
８５１    ：肌当接部
８５１Ｉ  ：内肌当接部
８５１Ｏ  ：外肌当接部
８５１Ｓ  ：肌当接面
８５２    ：起立部
８５３    ：肌当接接合部
８８１    ：第１露出部
８８２    ：第２露出部
ＡＳ      ：収容空間
ＢＳＲ    ：バンド伸縮領域
ＥＲ      ：延長領域
Ｓ１      ：前胴回り域
Ｓ２      ：後胴回り域
Ｓ３      ：股下域
ＷＲ      ：ウエスト収縮領域
【図１】
2020089674.tif 000003
【図２】
2020089674.tif 000004
【図３】
2020089674.tif 000005
【図４】
2020089674.tif 000006
【図５】
2020089674.tif 000007
【図６】
2020089674.tif 000008
【図７】
2020089674.tif 000009
【図８】
2020089674.tif 000010
【図９】
2020089674.tif 000011
【図１０】
2020089674.tif 000012
【図１１】
2020089674.tif 000013